(57)【要約】  【課題】  作業者が簡単に収納テープを切断すべき位置にセットできて、電子部品が無駄とならないように収納テープを切断できる簡易な構造の収納テープの切断装置を提供すること。  【解決手段】  作業者は支持台１５のピン１４、１４に収納テープ１の送り孔４、４を嵌合させる。この場合、収納テープ１の収納凹部３が突出しているので、テープ支持面１９上にカバーテープ５が接して収納凹部３が上となるように、ピン１４、１４に送り孔４、４を嵌合させる。この嵌合に際しては、反射鏡１６に映された収納テープ１を見ながら、電子部品が収納されている位置と収納されていない位置との境界位置を確認しつつ、テープ支持面１９上に収納テープ１を支持すべく嵌合させる。そして、この支持した状態で、操作部Ｓを操作してコイルスプリング２１の付勢力に抗して支軸１１を支点として上刃１２及び下刃１３を回動させることにより収納テープ１を切断する。  【選択図】  図５
2005335798.tif 000002
【特許請求の範囲】
【請求項１】
支軸を支点として互いに交差するように回動可能になされた上刃及び下刃と、キャリアテープの電子部品を収納する収納部の開口をカバーテープにより覆う収納テープの送り孔に嵌合するピンを備えて前記下刃に固定された支持台と、この支持台に設けられた反射鏡とを備え、前記ピンに収納テープの送り孔を嵌合させて前記支持台上に収納テープを支持した状態で前記反射鏡に映された収納テープを見ながら、前記下刃及び上刃に形成された操作部を操作して前記支軸を支点として下刃及び上刃を回動させることにより前記収納テープを切断することを特徴とする収納テープの切断装置。
【請求項２】
前記収納テープはエンボステープで、切断に際しては収納部を上にして前記ピンに収納テープの送り孔を嵌合させて前記支持台上に収納テープを支持することを特徴とする請求項１に記載の収納テープの切断装置。
【請求項３】
前記反射鏡を凸面としたことを特徴とする請求項１に記載の収納テープの切断装置。
【発明の詳細な説明】
【技術分野】
【０００１】
本発明は、キャリアテープの電子部品を収納する収納部の開口をカバーテープにより覆われた収納テープの切断装置に関する。
【背景技術】
【０００２】
使用されている収納テープに新たな収納テープを連結する収納テープ同士の連結方法は、例えば特許文献１などに開示されているが、確実に連結できるようにするために収納テープを所定位置で切断する必要がある。この場合、テーピング帯体の終端より所定長さだけ延長した位置でカバーテープの終端を切断できるコンパクトなテープ切断装置が提案されている（例えば、特許文献２参照）。
【特許文献１】特開平５−３３８６１８号公報
【特許文献２】特開平７−１７５１１号公報
【発明の開示】
【発明が解決しようとする課題】
【０００３】
しかしながら、自動で切断するために、カバーテープを吸着する吸着手段などを設けた構造であって、複雑で、且つ大掛かりな装置となっている。なお、切断するに際しては、収納テープに電子部品が収納されている位置と収納されていない位置との境界位置で切断することができれば、電子部品が無駄にならないものである。
【０００４】
そこで本発明は、作業者が簡単に収納テープを切断すべき位置にセットできて、電子部品が無駄とならないように収納テープを切断できる簡易な構造の収納テープの切断装置を提供することを目的とする。
【課題を解決するための手段】
【０００５】
このため第１の発明は、支軸を支点として互いに交差するように回動可能になされた上刃及び下刃と、キャリアテープの電子部品を収納する収納部の開口をカバーテープにより覆う収納テープの送り孔に嵌合するピンを備えて前記下刃に固定された支持台と、この支持台に設けられた反射鏡とを備え、前記ピンに収納テープの送り孔を嵌合させて前記支持台上に収納テープを支持した状態で前記反射鏡に映された収納テープを見ながら、前記下刃及び上刃に形成された操作部を操作して前記支軸を支点として下刃及び上刃を回動させることにより前記収納テープを切断することを特徴とする。
【０００６】
第２の発明は、第１の発明に係る収納テープの切断装置において、前記収納テープはエンボステープで、切断に際しては収納部を上にして前記ピンに収納テープの送り孔を嵌合させて前記支持台上に収納テープを支持することを特徴とする。
【０００７】
第３の発明は、第１の発明に係る収納テープの切断装置において、前記反射鏡を凸面としたことを特徴とする。
【発明の効果】
【０００８】
本発明は、作業者が簡単に収納テープを切断すべき位置にセットできて、電子部品が無駄とならないように収納テープを切断できる簡易な構造の収納テープの切断装置を提供することができる。
【発明を実施するための最良の形態】
【０００９】
以下、添付図面を参照して収納テープの切断装置を説明する前に、収納テープ１であるエンボステープについて、図１に基づき初めに説明する。合成樹脂材料で作成されたキャリアテープ２には、所定の等間隔を存して収納凹部３が形成されると共に同じく所定の等間隔を存して送り孔４が形成されている。そして、収納凹部３に収納された電子部品を覆うように、カバーテープ５が収納凹部３開口部を被覆している。
【００１０】
なお、前記キャリアテープ２は収納される電子部品の静電気を除去するための塗料が含有されて、例えば黒色に着色され、カバーテープ５は透明な合成樹脂材料で作成されている。
【００１１】
そして、部品供給ユニット（図示せず）に収納テープ１をセットする。収納テープ１は部品供給ユニットが載置され電子部品装着装置に接続されたカートに置かれた収納テープリールから供給される。部品供給ユニットは、テープ通路を介して部品ピックアップ位置（部品吸着取出位置）までテープ送り装置によりキャリアテープ２を間欠送りして、カバーテープ５が剥離された状態のキャリアテープ２から電子部品を電子部品装着装置の吸着ノズル（図示せず）がピックアップして、プリント基板上に当該電子部品を装着すると共に、剥離したカバーテープを部品供給ユニットの収納部に収納するものである。
【００１２】
次に、収納テープ１内の電子部品が残り少なくなって、当該収納テープ１に新しい収納テープ１を連結するに先立って収納テープ１を切断する場合の動作について説明する。
【００１３】
カートに置かれ、部品供給ユニットに収納テープを供給していた収納テープリールに巻かれてあった収納テープ１をその電子部品が収納されている位置と収納されていない位置との境界位置で切断することができれば、電子部品が無駄にならないものである。以下この切断装置１０について図２及び図３に基づき説明する。
【００１４】
この切断装置１０は以下詳述するが、支軸１１を支点として互いに交差するように回動可能になされた上刃１２及び下刃１３と、キャリアテープ２の電子部品を収納する収納凹部３の開口をカバーテープ５により覆う収納テープ１の送り孔４に嵌合するピン１４、１４を備えて前記下刃１３に固定された支持台１５と、この支持台１５に設けられた反射鏡１６とを備えている。
【００１５】
前記支持台１５は平面視Ｔ字形状を呈して、一方の端部は下刃１３に螺子１７を介して固定され、中間部及び両刃１２、１３の交差部には支軸１１となるボルトが貫通してナット１８により抜け止めがなされて、この支軸１１を支点として上刃１２及び下刃１３が互いに交差するように回動可能に支持されている。そして、他方の端部のテープ支持面１９には各送り孔４のピッチと同じピッチ、あるいは各送り孔４のピッチの整数倍のピッチにピン１４、１４が立設されている。
【００１６】
前記下刃１３の左側に固定された前記支持台１５の下面には、上刃１２の右外方にまで延び上面、即ち下刃１３側の面を鏡面１６Ａとした反射鏡１６がビス２０により固定されている。なお、上刃１２及び下刃１３の前記支軸１１より各操作部Ｓ寄りにおける両刃１２と１３との間には、コイルスプリング２１が設けられ、上刃１２及び下刃１３を互いに離反するように付勢している。
【００１７】
ここで、部品供給ユニットに供給される部品残数が少なくなった収納テープ１の電子部品が収納されている位置と収納されていない位置との境界位置で切断して、この切断した収納テープ１に新たな収納テープを連結することとなるが、この切断動作について図４及び図５に基づき説明する。
【００１８】
先ず、作業者は前記支持台１５のピン１４、１４に収納テープ１の送り孔４、４を嵌合させる。この場合、収納テープ１の収納凹部３が突出しているので、テープ支持面１９上に平坦な面となっている側のカバーテープ５を接するようにして、収納凹部３が上となるように、ピン１４、１４に送り孔４、４を嵌合させる。
【００１９】
この嵌合に際しては、作業者が前記反射鏡１６の鏡面１６Ａに映された収納テープ１の収納凹部３内を見ながら、電子部品が収納されている位置と収納されていない位置との境界位置を確認しつつ、前記テープ支持面１９上に収納テープ１を支持すべく嵌合させる。そして、この支持した状態で、前記操作部Ｓを操作してコイルスプリング２１の付勢力に抗して前記支軸１１を支点として上刃１２及び下刃１３を回動させることにより前記収納テープ１を切断する。
【００２０】
このように、前記キャリアテープ２が黒色に着色されていても、前記反射鏡１６に映された収納テープ１を見ながら、透明なカバーテープ５を介して電子部品が収納されている位置と収納されていない位置との境界位置を確認しつつ確実にこの境界位置にて切断できるから、電子部品が無駄にならないものである。
【００２１】
その後、この切断された収納テープ１に切断された収納テープと同様の切断作業を行った新たな収納テープを連結し、更にこの連結した新たな収納テープを巻回した収納テープリールをカートにセットすることにより電子部品の供給に供する。
【００２２】
なお、前記反射鏡１６として凸面鏡などの拡大鏡を使用することにより、鏡面には収納凹部３を拡大させて映すことができ、この結果前記境界位置の確認がより容易となるものである。
【００２３】
なお、部品供給ユニットを電子部品装着装置のユニットベースに取り付ける構造のものにあっては、このユニットベースから部品供給ユニットを外して作業台上に移して、部品供給ユニットのユニットフレームから収納テープリールを取外して、この収納テープリールに巻かれてあった収納テープ１をその電子部品が収納されている位置と収納されていない位置との境界位置で切断するようにしてもよい。
【００２４】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２５】
【図１】収納テープの斜視図である。
【図２】切断装置の斜め左方から見た斜視図である。
【図３】切断装置の斜め右方から見た斜視図である。
【図４】収納テープをセットした状態の切断装置の斜め左方から見た斜視図である。
【図５】収納テープをセットした状態の切断装置の斜め右方から見た斜視図である。
【符号の説明】
【００２６】
１          収納テープ
２          キャリアテープ
３          収納凹部
４          送り孔
５          カバーテープ
１２        上刃
１３        下刃
１４        ピン
１５        支持台
１６        反射鏡
１９        テープ支持面
【図１】
2005335798.tif 000003
【図２】
2005335798.tif 000004
【図３】
2005335798.tif 000005
【図４】
2005335798.tif 000006
【図５】
2005335798.tif 000007